(57)【特許請求の範囲】
【請求項１】
盤面と前記盤面に立設される回転装置と前記回転装置に搭載される本体部から成り、
前記盤面は、太陽光の方向を表す矢印と月の公転軌道を表す円と当該月の公転軌道を表す円を中心角１２度ごとに区分する月の位置を示す目印と当該目印に０から２９までの月の満ち欠けの月齢を表す数字を表示し、
前記本体部は、表面を２等分して表側と裏側を区分する境界線を表示して表側の表面の中心を示す目印を有し、回転軸を備える月を表す球体を、太陽光を受けているため明るい月の半球部分を表す透明な中空の半球と太陽光を受けていないため陰になる月の半球部分を表す中空の半球を合わせて形成する中空の球体の内部に前記回転軸を介して回転自在に同心配置して頂上部に分度器を表示し、
前記回転装置は、前記本体部を前記盤面に表示する月の公転軌道を表す円の円周上を回転させ、かつ前記本体部の月を表す球体の表側の表面の中心を示す目印を前記月の公転軌道を表す円の地球の位置を示す中心に対向して回転させ、かつ前記太陽光を受けていないため陰になる月の半球部分を表す中空の半球の断面部と太陽光の方向を表す矢印の向きとが、常に垂直になるように回転させる月の満ち欠け説明器。
【請求項２】
盤面と前記盤面に立設される回転装置と前記回転装置に搭載される本体部から成り、
前記盤面は表示を有せず、
前記本体部は、表面を２等分して表側と裏側を区分する境界線を表示して表側の表面の中心を示す目印を有し、回転軸を備える月を表す球体を、太陽光を受けているため明るい月の半球部分を表す透明な中空の半球と太陽光を受けていないため陰になる月の半球部分を表す中空の半球を合わせて形成する中空の球体の内部に前記回転軸を介して回転自在に同心配置して頂上部に分度器を表示し、かつ前記中空の球体の外周面に前記中空の球体と中心を同じくし、前記太陽光を受けていないため陰になる月の半球部分を表す中空の半球の表面の中心を通る月の公転軌道を表す円を表示し、当該月の公転軌道を表す円を前記太陽光を受けていないため陰になる月の半球部分を表す中空の半球の表面の中心を起点として中心角１２度ごとに区分する公転軌道の月の位置を示す円状の開口部を穿孔して表示し、当該円状の開口部に０から２９までの月の満ち欠けの月齢を表す数字を表示し、
前記回転装置は、前記本体部を前記盤面上を回転させ、前記本体部の前記月を表す球体の表側の表面の中心を示す目印を前記月を表す球体の回転軌道の地球の位置を示す中心に対向して回転させ、かつ前記太陽光を受けていないため陰になる月の半球部分を表す中空の半球の断面図を水平面に対して垂直にして常に一定方向に向けて回転させる月の満ち欠け説明器。
【請求項３】
表面を２等分して表側と裏側を区分する境界線を表示して表側の表面の中心を示す目印と裏側の表面の中心を示す目印を有し、回転軸を備える月を表す球体を、太陽光を受けているため明るい月の半球部分を表す透明な中空の半球と太陽光を受けていないため陰になる月の半球部分を表す中空の半球を合わせて形成する中空の球体の内部に前記回転軸を介して回転自在に同心配置して、前記中空の球体の頂上部に分度器を表示し、かつ、前記中空の球体の外周面に前記中空の球体と中心を同じくし、前記太陽光を受けていないため陰になる月の半球部分を表す中空の半球の表面の中心を通る月の公転軌道を表す円を表示し、当該月の公転軌道を表す円を前記太陽光を受けていないため陰になる月の半球部分を表す中空の半球の表面の中心を起点として中心角１２度ごとに区分する公転軌道の月の位置を示す円状の開口部を穿孔して表示し、当該円状の開口部に０から２９までの月の満ち欠けの月齢を表す数字を表示して成る月の満ち欠け説明器。
【請求項４】
太陽光を受けているため明るい月の半球部分を表す中空の半球と太陽光を受けていないため陰になる月の半球部分を表す中空の半球を合わせて形成する中空の球体の外周面に前記中空の球体と中心を同じくし、太陽光を受けていないため陰になる月の半球部分を表す中空の半球の表面の中心を通る月の公転軌道を表す円を表示し、当該月の公転軌道を表す円を前記太陽光を受けていないため陰になる月の半球部分を表す中空の半球の表面の中心を起点として中心角１２度ごとに区分する公転軌道の月の位置を示す目印を表示し、当該目印に０から２９までの月の満ち欠けの月齢を表す数字を表示し、かつ対向する位置に地球と月を表す球体を取り付けた円状の環を内部に回転自在に内包する環状のレールを前記月の公転軌道を表す円に取り付けて成る月の満ち欠け説明器。
【請求項５】
月を表す球体に代えて、表面を表側と裏側に区分する境界線を表示して表側の表面の中心を表す目印を有し、かつ回転軸を備える月球儀を使用する請求項１に記載の月の満ち欠け説明器。
【請求項６】
盤面と前記盤面に立設される回転装置と前１記回転装置に搭載される本体部から成り
前記盤面は、太陽光の方向を表す矢印と月の公転軌道を表す円と当該月の公転軌道を表す円を中心角１２度ごとに区分する月の位置を示す目印と当該目印に０から２９までの月の満ち欠けの月齢を表す数字を表示し、
前記本体部は、表面を２等分して表側と裏側を区分する境界線を表示して表側の表面の中心を示す目印を有し、回転軸を備える月を表す球体を、太陽光を受けていないため陰になる月の半球部分を表わし、かつ張り出し部を有する中空の半球の内部に前記回転軸を介して回転自在に同心配置して頂上部に分度器を表示し、
前記回転装置は、前記本体部を前記盤面に表示する月の公転軌道を表す円の円周上を回転させ、かつ前記本体部の月を表す球体の表側の表面の中心を示す目印を前記月の公転軌道を表す円の地球の位置を示す中心に対向して回転させ、かつ前記太陽光を受けていないため陰になる月の半球部分を表す中空の半球の断面部と太陽光の方向を表す矢印の向きとが、常に垂直になるように回転させる月の満ち欠け説明器。
【請求項７】
月を表す球体に代えて、表面を表側と裏側に区分する境界線を表示して表側の表面の中心を表す目印を有し、かつ回転軸を備える月球儀を使用する請求項６に記載の月の満ち欠け説明器。
【請求項８】
月を表す球体に代えて、表面を表側と裏側に区分する境界線を表示して表側の表面の中心を表す目印を有し、かつ回転軸を備える月球儀を使用する請求項２に記載の月の満ち欠け説明器。
【請求項９】
月を表す球体に代えて、表面を表側と裏側に区分する境界線を表示して表側の表面の中心を表す目印と裏側の表面の中心を表す目印を有し、かつ回転軸を備える月球儀を使用する請求項３に記載の月の満ち欠け説明器。
【発明の詳細な説明】
【技術分野】
【０００１】本発明は月の満ち欠け説明器に関するものである。
【背景技術】
【０００２】従来、月の満ち欠け説明器は、三球儀による説明方法が受け継がれ、観察者の視点が太陽、地球、月の外側に置かれている。また、照明器具による太陽光を月に照射して月の満ち欠けを再現して説明する方法が採用されている。また最近では、太陽光が当たって明るい部分と太陽光が当たっていない陰の部分に区分した２色の球体を公転軌道を移動させて地球の視点から見ることで月の満ち欠けを再現して説明する方法が行われている。しかし、これらの方法は月の満ち欠けを再現することに専念しているため外観的な説明に止まり、月の満ち欠けの原理的な理解が困難である。また、従来の方法は、月の満ち欠けにおける月の裏側の役割を見過ごしており、月全体を視野に入れた説明がなされていない。
【発明の概要】
【発明が解決しようとする課題】
【０００３】本発明は、公転軌道の月齢０から月齢２９までの月の満ち欠けを再現すると同時に、月の裏側も含めた月全体を視野に入れて、月の満ち欠けを４つの構成要因に区分して、その中心角を計測して数値化する方法により公転軌道の月齢０から月齢２９までの４つの構成要因の中心角の大きさとその比率の変化を示して月の満ち欠けが起きる原因と変化のメカニズムを説明する月の満ち欠け説明器を提供することを目的とする。
【問題を解決するための手段】
【０００４】月の満ち欠けは次の二つの関係によって起きる。すなわち、第一に太陽と地球と月の関係、すなわち、太陽に向かって月の前半分に太陽光が当り、月の後半分には太陽光が当らないため、地球から太陽に向かっている月の前半分の部分が見え、月の後半分が陰になって見えないことである。第二に、地球と月の関係、すなわち、月が地球のまわりを公転し、さらにその間地球から月の表側だけが見え、月の裏側が見えないことである。月の裏側は地球から見えないことで地球から見える月の表側と同等の役割を果たしている。この第一と第二の関係が組み合わさって起きるのが月の満ち欠けである。
そこで、このふたつの関係を組み合わせた月の満ち欠け説明器を作成する。まず、第一の関係を表すために、中空の半球を合わせて中空の球体を作り、一方を太陽光を受けて明るい部分を表すものとし、他方を太陽光を受けていないため陰になっている部分を表すものとして、前者を透明とし後者を着色する。又は、中空の半球を太陽光を受けていないため陰になっている部分を表すものとして着色する。次に、第二の関係を表すために月を表す球体の表面を二等分し、一方を月の表側を表すものとし、他方を月の裏側を表すものとして、それぞれの表面を異なる色で着色する。そして、表側の中心に目印を付ける。さらに、この月を表す球体に自転軸を取り付ける。次に、第一と第二の関係を組み合わせる方法として、上記の太陽光を受けて明るい部分と太陽光を受けないため陰になる部分を表す中空の球体又は太陽光を受けていないため陰になっている部分を表す中空の半球の内部に月を表す球体を両者の中心と自転軸を一致させて組み込む。この場合、月を表す球体の自転軸を回転させて月の表側の中心の目印を正面から見ると月の満ち欠けが再現される。
これが本器月の満ち欠け説明器の本体部である。
この本器月の満ち欠け説明器の本体部において、月の満ち欠けの構成要因は次の４つの構成要因から成る。すなわち、第一に、太陽光を受けていて地球から見える月の表側の部分Ａ、第二に、太陽光を受けていないため地球から見えない月の表側の部分Ｂ、第三に、太陽光を受けていても月の裏側にあるため地球から見えない部分Ｃ、第四に、太陽光を受けていないため、かつ月の裏側であるため地球から見えない部分Ｄである。これが月の満ち欠けの４つの構成要因である。また、月の満ち欠けは、太陽光を受けていて地球から見える月の表側の部分Ａに起こり、この部分の面積の大きさはこの部分の中心角∠ａの大きさによって決まる。また、この中心角∠ａの大きさは、月の公転軌道の位置によって決定される。また、月の満ち欠けの変化は月が公転軌道を移動することでこの４つの構成要因の中心角∠ａ∠ｂ∠ｃ∠ｄの大きさとその比率が変化することによって起きる。
この場合、月の満ち欠けを観察するふたつの方法がある。第一の方法は、上記の月の満ち欠け説明器の本体部を公転軌道を公転させて地球の視点から月の満ち欠けを観察する方法であり、第二の方法は、上記の月の満ち欠け説明器の本体部を公転軌道の内部の中心に配置して、月を表す球体の自転軸を回転させて月の裏側の中心の目印を公転軌道に対向させて公転軌道の位置を特定してから観察者が反対側の月の表側の中心の目印の正面、すなわち地球の視点から月の満ち欠けを観察する方法である。さらに、本説明器では、公転軌道の月齢０から月齢２９までの月の満ち欠けを観察できるように構成する。
【０００５】課題を解決するための第一の本説明器の構成は次のとおりである。
まず、板状の盤面に台座を固定して取り付けて、これに円柱形の支柱を垂直に組み込んで固定し、この支柱の上部に水平に３６０度自由に回転する腕木を取り付け、中間部に歯車を固定して取り付ける。
次に、腕木の先端部に円筒を腕木を貫通して垂直に取り付ける。
この場合、円筒は３６０度自由に回転できるように取り付け、円筒の底部を腕木の一部で支持する。そして、この円筒の外周部に支柱に取り付けた歯車と同一の形状の歯車を両者の歯車が水平になる位置に固定して取り付ける。そして、両者の歯車をチェーンで連結する。
この装置の腕木を左まわりに回転させると、円筒とこれに固定して取り付けた歯車が逆方向の右まわりに回転する。
この場合、支柱に固定して取り付けた歯車は固定されていて回転せず、腕木が左まわりに回転することにより、円筒に固定して取り付けた歯車が逆方向の右まわりに回転して円筒が右回りに回転する。
次に、本説明器の本体部を作成する。
本説明器の本体部の構成は次のとおりである。
まず、太陽光を受けて明るい部分と太陽光を受けないで陰になる部分を表す中空の球体又は太陽光を受けないで陰になる部分を表す中空の半球を作成する。
この場合、２つの方法がある。
第一の方法は次のとおりである。
まず、中空の半球を合わせて中空の球体を作成する。
そして、太陽光を受けて明るい部分を透明にし、太陽光を受けないで陰になる部分を着色する。
そして、太陽光を受けて明るい部分と太陽光を受けないで陰になる部分を表す中空の球体の頂上部に両者の境界部を０度とする椀状の全円分度器を接合して固定して取り付ける。
第二の方法は、次のとおりである。
まず、太陽光を受けないで陰になる部分を表す中空の半球を着色する。
次に、太陽光を受けないで陰になる部分を表す中空の半球の頂上部とその反対側の頂上部に張り出し部を接合する。
そして、太陽光を受けないで陰になる部分を表す中空の半球の一方の張り出し部に中空の半球の断面部を０度とする椀状の全円分度器を接合して固定して取り付ける。
次に、月を表す球体を作成する。
この場合、２つの方法がある。
第一の方法は次のとおりである。
まず、月を表す球体の表面を２等分して一方を地球に対する表側を表すものとし、他方を裏側を表すものとする。
そして、この月を表す球体の表側と裏側を異なる色で着色する。
そして、この月を表す球体の表側の表面の中心に目印を付ける。
そして、この月を表す球体に自転軸を取り付ける。
第二の方法は次のとおりである。
この場合月球儀を使用する。
まず、月球儀の表側と裏側の境界部に境界線を表示する。
そして、月球儀の表側の表面の中心に目印をつける。
そして、月球儀に自転軸を取り付ける。
次に太陽光を受けて明るい部分と太陽光を受けないで陰になる部分を表す中空の球体又は太陽光を受けないで陰になる部分を表す中空の半球の内部に月を表す球体を中心と自転軸を一致させて組み込む。
これが、本説明器の本体部である。
この本説明器の本体部において、月の満ち欠けの構成要因は次の４つの要因から成る。すなわち、第一に、太陽光を受けていて地球から見える月の表側の部分Ａ、第二に、太陽光を受けていないため地球から見えない月の表側の部分Ｂ、第三に、太陽光を受けていても月の裏側にあるため地球から見えない部分Ｃ、第四に、太陽光を受けていないため、かつ月の裏側であるため地球から見えない部分Ｄである。これが月の満ち欠けの４つの構成要因である。月の満ち欠けは、第一の太陽光を受けていて地球から見える月の表側の部分Ａに起こり、この部分の面積の大きさはこの部分の中心角∠ａの大きさによって決まる。また、この第一の構成要因の中心角∠ａの大きさは月の公転軌道の位置によって決定される。第二の構成要因の中心角∠ｂ、第三の構成要因の中心角∠ｃ第四の構成要因の中心角∠ｄの大きさも同じく月の公転軌道の位置によって決定される。
次に、本説明器の本体部の月を表す球体の自転軸を回転させて月を表す球体の表面の中心の目印の正面から見ると、本説明器の本体部に月の満ち欠けが再現される。
次に、本説明器の本体部を腕木の先端部に取り付ける。
まず、太陽光を受けて明るい部分と太陽光を受けないで陰になる部分を表す中空の球体又は太陽光を受けないで陰になる部分を表す中空の半球を腕木の円筒の頂上部に固定して円筒の回転運動が直接伝わるように取り付ける。
そして、本説明器の本体部の月を表す球体の自転軸を円筒の内部を貫通させて、表面の中心の目印を地球の方向に合わせて腕木の一部に垂直に固定して取り付ける。
この場合、腕木を左まわりに回転させると、太陽光を受けて明るい部分と太陽光を受けないで陰になる部分を表す中空の球体の太陽光を受けないで陰になる部分又は太陽光を受けないで陰になる部分を表す中空の半球が一定方向を向いたまま右まわりに回転し、月を表す球体が表面の中心の目印を地球の方向に向けたまま回転する。
次に、盤面に太陽光の方向を示す矢印を表示する。
次に、公転軌道の中心角１２度ごとの月齢０から月齢２９までの月の満ち欠けを示す平面図を作成する。
この場合、月の満ち欠けの平面図は次の二つの平面図を組み合わせて作成する。すなわち、第一は太陽と地球と月の関係、すなわち、太陽に向かって月の前半分に太陽光が当り、月の後半分には太陽光が当らないため、地球から太陽に向かっている月の前半分の部分が見え、月の後半分が陰になって見えないことを示す平面図である。第二は地球と月の関係、すなわち、月が地球のまわりを公転し、さらにその間地球から月の表側だけが見え、月の裏側が見えないことを示す平面図である。
この二つの平面図を組み合わせたものが月の満ち欠けの平面図である。
次に、盤面にこの月の満ち欠けの平面図を太陽光の方向を示す矢印に合わせて表示する。
これにより、公転軌道と公転軌道の中心角１２度ごとの月齢０から月齢２９までの月の満ち欠けの４つの構成要因の中心角とその比率の変化を盤面に表示する。
さらに、この月の満ち欠けの平面図に月齢０から月齢２９までの月齢を示す数字と太陽光を受けていて地球から見える月の表側の部分の中心角∠ａの角度を表示する。
次に、盤面で本説明器の本体部の太陽光を受けて明るい部分と太陽光を受けないで陰になる部分を表す中空の球体の太陽光を受けないで陰になる部分又は太陽光を受けないで陰になる部分を表す中空の半球を盤面の太陽光の方向を表す矢印に合わせる。
以上が本器月の満ち欠け説明器の構成である。
この場合、本説明器の本体部は次のとおり作動する。
まず、腕木を支柱の周りを左まわりに回転させて、本説明器の本体部を盤面の月の満ち欠けの平面図の公転軌道を公転させる。
すると、太陽光を受けて明るい部分と太陽光を受けないで陰になる部分を表す中空の球体の太陽光を受けないで陰になる部分又は太陽光を受けないで陰になる部分を表す中空の半球が太陽光の方向を表す矢印の方向を向いたまま回転する。
そして、同時に、月を表す球体の表面の中心の目印が地球の方向を向いたまま回転する．
この場合、腕木の地球の視点から見ると本説明器の本体部に公転軌道の月齢０から月齢２９までの月の満ち欠けが再現される。
次に、本説明器の本体部の指針を盤面の任意の月齢の月の満ち欠けの平面図の中心に一致させる。
そして、腕木の地球の視点から本説明器の本体部を見ると当該月齢の月の満ち欠けが再現される。
次に、この操作を月齢０から月齢２９まで行い公転軌道の月齢０から月齢２９までの月の満ち欠けを再現する。
そして、同時に、本説明器の本体部の全円分度器で公転軌道の月齢０から月齢２９までの月の満ち欠けの４つの構成要因の中心角∠ａ∠ｂ∠ｃ∠ｄを計測する。
以上の操作を月齢０から月齢２９まで行うことで公転軌道の月齢０から月齢２９までの月の満ち欠けの４つの構成要因の中心角∠ａ∠ｂ∠ｃ∠ｄの変化がわかる。
以上の構成において、本器月の満ち欠け説明器は、公転軌道の月齢０から月齢２９までの月の満ち欠けを再現すると同時に、月の満ち欠けを４つの構成要因に区分して、その中心角を計測して数値化する方法により公転軌道の月齢０から月齢２９までの月の満ち欠けの４つの構成要因の中心角とその比率の変化を示し、月の満ち欠けが起きる原因と変化のメカニズムを説明するものである。
【０００６】課題を解決するための第二の本説明器の構成は次のとおりである。
まず、板状の盤面に台座を固定して取り付けて、これに円柱形の支柱を垂直に組み込んで固定し、この支柱の上部に水平に３６０度自由に回転する腕木を取り付け、中間部に歯車を固定して取り付ける。
次に、腕木の先端部に円筒を腕木を貫通して垂直に取り付ける。
この場合、円筒は３６０度自由に回転できるように取り付け、円筒の底部を腕木の一部で支持する。そして、この円筒の外周部に支柱に取り付けた歯車と同一の形状の歯車を両者の歯車が水平になる位置に固定して取り付ける。そして、両者の歯車をチェーンで連結する。
この装置の腕木を左まわりに回転させると、円筒とこれに固定して取り付けた歯車が逆方向の右まわりに回転する。
この場合、支柱に固定して取り付けた歯車は固定されていて回転せず、腕木が左まわりに回転することにより、円筒に固定して取り付けた歯車が逆方向の右まわりに回転して円筒が右回りに回転する。
次に、本説明器の本体部を作成する。
本説明器の本体部の構成は次のとおりである。
最初に、太陽光を受けて明るい部分と太陽光を受けないで陰になる部分を表す中空の球体を作成する。
まず、中空の半球を合わせて中空の球体を作成する。
そして、太陽光を受けて明るい部分を透明にし、太陽光を受けないで陰になる部分を着色する。
そして、太陽光を受けて明るい部分と太陽光を受けないで陰になる部分を表す中空の球体と中心を同じくし、太陽光を受けないで陰になる部分の中心を通る公転軌道を当該中空の球体の外周部に表示する。
そして、太陽光を受けて明るい部分と太陽光を受けないで陰になる部分を表す中空の球体の太陽光を受けないで陰になる部分の中心を起点として公転軌道に中心角１２度ごとに３０個の円状の開口部を穿孔する。
そして、太陽光を受けて明るい部分と太陽光を受けないで陰になる部分を表す中空の球体の太陽光を受けないで陰になる部分の中心の円状の開口部を起点として月齢０から月齢２９までの月齢を示す数字を円状の開口部の上部に表示する。
そして、太陽光を受けて明るい部分と太陽光を受けないで陰になる部分を表す中空の球体の頂上部に両者の境界部を０度とする椀状の全円分度器を接合して固定して取り付ける。
次に、月を表す球体を作成する。
この場合、２つの方法がある。
第一の方法は次のとおりである。
まず、月を表す球体の表面を２等分して一方を地球に対する表側を表すものとし、他方を裏側を表すものとする。
そして、この月を表す球体の表側と裏側を異なる色で着色する。
そして、この月を表す球体の表側の表面の中心に目印を付ける。
そして、この月を表す球体に自転軸を取り付ける。
第二の方法は次のとおりである。
この場合月球儀を使用する。
まず、月球儀の表側と裏側の境界部に境界線を表示する。
そして、月球儀の表側の表面の中心に目印をつける。
そして、月球儀に自転軸を取り付ける。
次に太陽光を受けて明るい部分と太陽光を受けないで陰になる部分を表す中空の球体の内部に月を表す球体を中心と自転軸を一致させて組み込む。
これが、本説明器の本体部である。
この本説明器の本体部において、月の満ち欠けの構成要因は次の４つの要因から成る。すなわち、第一に、太陽光を受けていて地球から見える月の表側の部分Ａ、第二に、太陽光を受けていないため地球から見えない月の表側の部分Ｂ、第三に、太陽光を受けていても月の裏側にあるため地球から見えない部分Ｃ、第四に、太陽光を受けていないため、かつ月の裏側であるため地球から見えない部分Ｄである。これが月の満ち欠けの４つの構成要因である。月の満ち欠けは、第一の太陽光を受けていて地球から見える月の表側の部分Ａに起こり、この部分の面積の大きさはこの部分の中心角∠ａの大きさによって決まる。また、この第一の構成要因の中心角∠ａの大きさは月の公転軌道の位置によって決定される。第二の構成要因の中心角∠ｂ、第三の構成要因の中心角∠ｃ第四の構成要因の中心角∠ｄの大きさも同じく月の公転軌道の位置によって決定される。
次に、本説明器の本体部の月を表す球体の自転軸を回転させて月を表す球体の表面の中心の目印を任意の月齢を示す円状の開口部の中心と一致させて目印の正面から見ると、本説明器の本体部に当該月齢の月の満ち欠けが再現される。
そして、この操作を月齢０から月齢２９まで行うことにより、説明器の本体部において、公転軌道の中心角の１２度ごとの月齢０から月齢２９までの月の満ち欠けを再現できる。
次に、本説明器の本体部を腕木の先端部に取り付ける。
まず、太陽光を受けて明るい部分と太陽光を受けないで陰になる部分を表す中空の球体を腕木の円筒の頂上部に固定して円筒の回転運動が直接伝わるように取り付ける。
そして、本説明器の本体部の月を表す球体の自転軸を円筒の内部を貫通させて、表面の中心の目印を地球の方向に合わせて腕木の一部に垂直に固定して取り付ける。
そして、太陽光を受けて明るい部分と太陽光を受けないで陰になる部分を表す中空の球体の太陽光を受けないで陰になる部分を地球と反対の方向、すなわち、太陽の方向に向けて固定する。この場合、盤面の表示をせず、本説明器の本体部の指針を取り付けない。
以上が本器月の満ち欠け説明器の構成である。
この場合、本説明器の本体部は次のとおり作動する。
まず、腕木を左まわりに回転させて本説明器の本体部を地球の周りを公転させると、太陽光を受けて明るい部分と太陽光を受けないで陰になる部分を表す中空の球体の太陽光を受けないで陰になる部分が太陽の方向を向いたまま回転し、月を表す球体が表面の中心の目印を地球の方向に向けたまま回転する。
この場合、太陽光を受けて明るい部分と太陽光を受けないで陰になる部分を表す中空の球体の外周部に表示した公転軌道の月齢０から月齢２９までの月齢を示す円状の開口部の中心に月を表す球体の表面の中心の目印が一致して当該円状の開口部が示す月齢の月の満ち欠けが再現される。
そして、この場合、腕木の地球の視点から見ると本説明器の本体部に公転軌道の月齢０から月齢２９までの月の満ち欠けが再現される。
次に、この操作を月齢０から月齢２９まで行い公転軌道の月齢０から月齢２９までの月の満ち欠けを再現する。
そして、同時に、本説明器の本体部の全円分度器で公転軌道の月齢０から月齢２９までの月の満ち欠けの４つの構成要因の中心角∠ａ∠ｂ∠ｃ∠ｄを計測する。
以上の操作を月齢０から月齢２９まで行うことで公転軌道の月齢０から月齢２９までの月の満ち欠けの４つの構成要因の中心角∠ａ∠ｂ∠ｃ∠ｄの変化がわかる。
以上の構成において、本器月の満ち欠け説明器は、公転軌道の月齢０から月齢２９までの月の満ち欠けを再現すると同時に、月の満ち欠けを４つの構成要因に区分して、その中心角を計測して数値化する方法により公転軌道の月齢０から月齢２９までの月の満ち欠けの４つの構成要因の中心角の大きさとその比率の変化を示し、月の満ち欠けが起きる原因と変化のメカニズムを説明するものである。
【０００７】課題を解決するための第三の本説明器の構成は次のとおりである。
最初に、本説明器の本体部の構成は次のとおりである。
まず、太陽光を受けて明るい部分と太陽光を受けないで陰になる部分を表す中空の球体を作成する。
この場合、作成方法は次のとおりである。
まず、中空の半球を合わせて中空の球体を作成する。
そして、太陽光を受けて明るい部分を透明にし、太陽光を受けないで陰になる部分を着色する。
そして、太陽光を受けて明るい部分と太陽光を受けないで陰になる部分を表す中空の球体と中心を同じくし、太陽光を受けないで陰になる部分の中心を通る公転軌道を当該中空の球体の外周部に表示する。
そして、太陽光を受けて明るい部分と太陽光を受けないで陰になる部分を表す中空の球体の太陽光を受けないで陰になる部分の中心を起点として公転軌道に中心角１２度ごとに３０個の円状の開口部を穿孔する。
そして、太陽光を受けて明るい部分と太陽光を受けないで陰になる部分を表す中空の球体の太陽光を受けないで陰になる部分の中心の円状の開口部を起点として月齢０から月齢２９までの月齢を示す数字を円状の開口部の上部に表示する。
そして、太陽光を受けて明るい部分と太陽光を受けないで陰になる部分を表す中空の球体の頂上部に両者の境界部を０度とする椀状の全円分度器を接合して固定して取り付ける。
次に、月を表す球体を作成する。
この場合、２つの方法がある。
第一の方法は次のとおりである。
まず、月を表す球体の表面を２等分して一方を地球に対する表側を表すものとし、他方を裏側を表すものとする。
そして、この月を表す球体の表側と裏側を異なる色で着色する。
そして、この月を表す球体の表側の表面の中心に目印を付ける。
そして、この月を表す球体の裏側の表面の中心に目印を付ける。
そして、この月を表す球体に自転軸を取り付ける
第二の方法は次のとおりである。
この場合月球儀を使用する。
まず、月球儀の表側と裏側の境界部に境界線を表示する。
そして、月球儀の表側の表面の中心に目印をつける。
そして、月球儀の裏側の表面の中心に目印を付ける。
そして、月球儀に自転軸を取り付ける。
次に太陽光を受けて明るい部分と太陽光を受けないで陰になる部分を表す中空の球体の内部に月を表す球体を中心と自転軸を一致させて組み込む。
これが、本説明器の本体部である。
この本説明器の本体部において、月の満ち欠けの構成要因は次の４つの要因から成る。すなわち、第一に、太陽光を受けていて地球から見える月の表側の部分Ａ、第二に、太陽光を受けていないため地球から見えない月の表側の部分Ｂ、第三に、太陽光を受けていても月の裏側にあるため地球から見えない部分Ｃ、第四に、太陽光を受けていないため、かつ月の裏側であるため地球から見えない部分Ｄである。これが月の満ち欠けの４つの構成要因である。月の満ち欠けは、第一の太陽光を受けていて地球から見える月の表側の部分Ａに起こり、この部分の面積の大きさはこの部分の中心角∠ａの大きさによって決まる。また、この第一の構成要因の中心角∠ａの大きさは月の公転軌道の位置によって決定される。第二の構成要因の中心角∠ｂ、第三の構成要因の中心角∠ｃ第四の構成要因の中心角∠ｄの大きさも同じく月の公転軌道の位置によって決定される。
次に、本説明器の本体部を月を表す球体の自転軸を垂直にして、台座に固定して取り付ける。
この場合、月を表す球体の自転軸を３６０度自由に回転するように台座に組み込む。
以上が本器月の満ち欠け説明器の構成である。
次に、本説明器の本体部の月を表す球体の自転軸を回転させて、月を表す球体の裏側の表面の中心の目印を公転軌道の任意の月齢を示す円状の開口部の中心と一致させて公転軌道の月の位置を特定する。
すると、月を表す球体の表側の表面の中心の目印が公転軌道の反対側の月齢を示す円状の開口部の中心と一致する。
そして、月を表す球体の表側の表面の中心の目印を正面から、すなわち地球の視点から見ると、本説明器の本体部に当該円状の開口部が示す月齢の月の満ち欠け，すなわち公転軌道の反対側に位置する月の満ち欠けが再現される。
そして、この操作を月齢０から月齢２９まで行い公転軌道の月齢０から月齢２９までの月齢の月の満ち欠けを再現する。
そして、同時に、本説明器の本体部の全円分度器で公転軌道の月齢０から月齢２９までの月齢の月の満ち欠けの４つの構成要因の中心角∠ａ∠ｂ∠ｃ∠ｄを計測する。
そして、この操作を月齢０から月齢２９まで行うことで公転軌道の月齢０から月齢２９までの月齢の月の満ち欠けの４つの構成要因の中心角∠ａ∠ｂ∠ｃ∠ｄの変化がわかる。
以上の構成において、本器月の満ち欠け説明器は、公転軌道の月齢０から月齢２９までの月の満ち欠けを再現すると同時に、月の満ち欠けを４つの構成要因に区分して、その中心角を計測して数値化する方法により公転軌道の月齢０から月齢２９までの月の満ち欠けの４つの構成要因の中心角の大きさとその比率の変化を示し、月の満ち欠けが起きる原因と変化のメカニズムを説明するものである。
【０００８】課題を解決するための第四の本説明器の構成は次のとおりである。
最初に、本説明器の本体部の構成は次のとおりである。
まず、中空の半球を合わせて月を表す中空の球体を作成する。
そして、太陽光を受けて明るい部分と太陽光を受けないで陰になる部分を異なる色で着色する。
そして、太陽光を受けて明るい部分と太陽光を受けないで陰になる部分を表す中空の球体と中心を同じくし、太陽光を受けないで陰になる部分の中心を通る公転軌道を当該中空の球体の外周部に表示する。
そして、太陽光を受けて明るい部分と太陽光を受けないで陰になる部分を表す中空の球体の太陽光を受けないで陰になる部分の中心を起点として公転軌道に中心角１２度ごとに３０個の円状の開口部を穿孔する。
そして、太陽光を受けて明るい部分と太陽光を受けないで陰になる部分を表す中空の球体の太陽光を受けないで陰になる部分の中心の円状の開口部を起点として月齢０から月齢２９までの月齢を示す数字を円状の開口部の上部に表示する。
そして、この月を表す球体に自転軸を取り付ける。
次に、円環の一部に月を表す球体を取り付け、さらにこの円環の反対側の位置に地球を表す球体を取り付ける。
そして、上記の円環を内包させた環状のレールを、太陽光を受けて明るい部分と太陽光を受けないで陰になる部分を表す中空の球体の外周部に表示した公転軌道上に固定して取り付ける。
この場合、円環と月及び地球を表す球体が環状のレールを３６０度自由に回転するように取り付ける。
これが、本説明器の本体部の構成である。
この説明器の本体部の自転軸を３６０度自由回転できるようにして台座に組み込む。
以上が本器月の満ち欠け説明器の構成である。
次に、上記の環状のレールに取り付けた月を表す球体の中心を本説明器の本体部の任意の月齢を示す円状の開口部の中心に一致させて公転軌道の月の位置を特定する。
この場合、地球を表す球体の中心が月の位置と反対側の公転軌道の月齢を示す円状の開口部の中心と一致する。
そして、この地球を表す球体を正面から、すなわち地球の視点から見ると、本説明器の本体部に当該円状の開口部が示す月齢の月の満ち欠け，すなわち公転軌道の反対側に位置する月の満ち欠けが再現される。
そして、この操作を月齢０から月齢２９まで行うことで公転軌道の月齢０から月齢２９までの月の満ち欠けを再現する。
以上の構成において、本器月の満ち欠け説明器は、公転軌道の月の位置を特定して公転軌道の月齢０から月齢２９までの月の満ち欠けを再現して、月の満ち欠けの変化を説明するものである。
【発明の効果】
【０００９】本器月の満ち欠け説明器は、公転軌道の中心角１２度ごとの月齢０から月齢２９までの月の満ち欠けを再現しながら、月の裏側も含めた月全体を視野に入れて、月の満ち欠けの４つの構成要因の中心角を計測する。そして、公転軌道の月の満ち欠けの４つの構成要因の中心角と比率の変化を示すことで月の満ち欠けを説明するものである。
この方法により、月の満ち欠けの原理、すなわち月の満ち欠けが何故起きるのか、何故変化するのかをわかりやすく説明できる。
【図面の簡単な説明】
【００１０】
【図１】本月の満ち欠け説明器の構成を示す全体図「立面図」
【図２】歯車とチェーンの連結図「平面図」
【図３】腕木の部分「平面図」
【図４】中空の球体又は中空の半球と円筒との連結部「平面図」「立面図」
【図５】全円分度器「平面図」
【図６】全円分度器「立面図」
【図７】太陽光を受けて明るい部分と太陽光を受けないため陰になる部分を表す中空の球体又は太陽光を受けないため陰になる部分を表す中空の半球を第一の方法で作成する場合の本月の満ち欠け説明器の本体部の構成を示す図「立面図」
【図８】太陽光を受けて明るい部分と太陽光を受けないため陰になる部分を表す中空の球体又は太陽光を受けないため陰になる部分を表す中空の半球を第一の方法で作成する場合の本月の満ち欠け説明器の本体部の構成を示す図「平面図」
【図９】本月の満ち欠け説明器の本体部の構成を示す図「立面図」
【図１０】本月の満ち欠け説明器の本体部の構成を示す図「平面図」
【図１１】太陽光を受けて明るい部分と太陽光を受けないため陰になる部分を表す中空の球体又は太陽光を受けないため陰になる部分を表す中空の半球を第二の方法で作成する場合の本月の満ち欠け説明器の本体部の構成を示す図「立面図」
【図１２】太陽光を受けて明るい部分と太陽光を受けないため陰になる部分を表す中空の球体又は太陽光を受けないため陰になる部分を表す中空の半球を第二の方法で作成する場合の本月の満ち欠け説明器の本体部の構成を示す図「平面図」
【図１３】本月の満ち欠け説明器の盤面を示す図「平面図」
【図１４】太陽と地球と月の関係、すなわち、太陽に向かって月の前半分に太陽光が当り、月の後半分には太陽光が当らないため、地球から太陽に向かっている月の前半分の部分が見え、月の後半分が陰になって見えないことを示す平面図
【図１５】地球と月の関係、すなわち、月が地球のまわりを公転し、さらにその間地球から月の表側だけが見え、月の裏側が見えないことを示す平面図
【図１６】「太陽と地球及び月の関係」と「地球と月の関係」の組み合わせにより公転軌道の中心角１２度ごとの月齢０から月齢２９までの月の満ち欠けを示す平面図
【図１７】本月の満ち欠け説明器の本体部「立面図」
【図１８】本月の満ち欠け説明器の本体部「平面図」
【図１９】「月を表す球体」を第二の方法で作成する場合に使用する月球儀「立面図」
【図２０】「月を表す球体」を第二の方法で作成する場合に使用する月球儀「平面図」
【図２１】本月の満ち欠け説明器の本体部の機能を示す図−月齢８「平面図」
【図２２】本月の満ち欠け説明器の本体部の機能を示す図−月齢２５「平面図」
【図２３】本月の満ち欠け説明器の本体部の機能を示す図−上弦の月「平面図」
【図２４】月齢８の場合の公転軌道上の月の位置と４つの構成要因の中心角及び月の満ち欠けの関係を示す図「平面図」
【図２５】月齢８の場合の公転軌道上の月の位置と４つの構成要因の中心角及び月の満ち欠けの関係を示す図「平面図」
【図２６】月齢８の場合の公転軌道上の月の位置と４つの構成要因の中心角及び月の満ち欠けの関係を示す図「平面図」
【図２７】月齢２５の場合の公転軌道上の月の位置と４つの構成要因の中心角及び月の満ち欠けの関係を示す図「平面図」
【図２８】月齢２５の場合の公転軌道上の月の位置と４つの構成要因の中心角及び月の満ち欠けの関係を示す図「平面図」
【図２９】月齢２５の場合の公転軌道上の月の位置と４つの構成要因の中心角及び月の満ち欠けの関係を示す図「平面図」
【図３０】本月の満ち欠け説明器の全体図「立面図」
【図３１】本月の満ち欠け説明器の全体図「平面図」
【図３２】本月の満ち欠け説明器の本体部と台座との連結部を示す図「平面図」
【図３３】本月の満ち欠け説明器の本体部と台座との連結部を示す図「立面図」
【図３４】「月を表す球体」を第二の方法で作成する場合に使用する月球儀「立面図」
【図３５】「月を表す球体」を第二の方法で作成する場合に使用する月球儀「平面図」
【図３６】本月の満ち欠け説明器の本体部「立面図」
【図３７】本月の満ち欠け説明器の本体部「平面図」
【図３８】本月の満ち欠け説明器の本体部の機能を示す図−月齢８「平面図」
【図３９】本月の満ち欠け説明器の本体部の機能を示す図−月齢２５「平面図」
【図４０】本月の満ち欠け説明器の本体部の機能を示す図−上弦の月「平面図」
【図４１】本月の満ち欠け説明器の全体図「立面図」
【図４２】本月の満ち欠け説明器の全体図「平面図」
【図４３】本月の満ち欠け説明器の本体部「立面図」
【図４４】本月の満ち欠け説明器の本体部「平面図」
【図４５】本月の満ち欠け説明器の本体部「断面図」
【図４６】本月の満ち欠け説明器の本体部の機能を示す図−月齢１０「平面図」
【図４７】本月の満ち欠け説明器の本体部の機能を示す図−月齢１０「立面図」
【発明を実施するための形態】
【００１１】課題を解決するための第一の本説明器の構成は次のとおりである。
まず、板状の盤面１に台座２を固定して取り付けて、これに円柱形の支柱３を垂直に組み込んで固定し、この支柱３の上部に水平に３６０度自由に回転する腕木４を取り付け、中間部に歯車５を固定して取り付ける。図１、図２、図３、図４
次に、腕木４の先端部に円筒８を腕木４を貫通して垂直に取り付ける。図１、図２、図３、図４
この場合、円筒８は３６０度自由に回転できるように取り付け、円筒８の底部を腕木４の一部で支持する。図１、図２、図３、図４
そして、この円筒８の外周部に支柱３に取り付けた歯車５と同一の形状の歯車６を両者の歯車５，６が水平になる位置に固定して取り付ける。そして、両者の歯車５，６をチェーン７で連結する。図１、図２、図３、図４
この装置の腕木４を左まわりに回転させると、円筒８とこれに固定して取り付けた歯車６が逆方向の右まわりに回転する。図１、図２、図３、図４
この場合、支柱３に固定して取り付けた歯車５は固定されていて回転せず、腕木４が左まわりに回転することにより、円筒８に固定して取り付けた歯車６が逆方向の右まわりに回転して円筒８が右回りに回転する。図１、図２、図３、図４
次に、本説明器の本体部１６を作成する。
まず、本説明器の本体部１６の構成は次のとおりである。
まず、太陽光を受けて明るい部分１７と太陽光を受けないで陰になる部分１８を表す中空の球体１９又は太陽光を受けないで陰になる部分１８を表す中空の半球２０を作成する。
この場合、２つの方法がある。
第一の方法は次のとおりである。
まず、中空の半球を合わせて中空の球体１９を作成する。図７、図８
そして、太陽光を受けて明るい部分１７を透明にし、太陽光を受けないで陰になる部分１８を着色する。図７、図８
そして、太陽光を受けて明るい部分１７と太陽光を受けないで陰になる部分１８を表す中空の球体１９の頂上部３６に両者の境界部３７を０度とする椀状の全円分度器３８を接合して固定して取り付ける。図５、図６、図７、図８
第二の方法は、次のとおりである。
まず、太陽光を受けないで陰になる部分１８を表す中空の半球２０を着色する。図１１、図１２
次に、太陽光を受けないで陰になる部分１８を表す中空の半球２０の頂上部２７とその反対側の頂上部２７に張り出し部２８を接合する。
そして、太陽光を受けないで陰になる部分１８を表す中空の半球２０の一方の張り出し部２８に中空の半球２０の断面部３９を０度とする椀状の全円分度器３８を接合して固定して取り付ける。
図５、図６、図１１、図１２
次に、月を表す球体２９を作成する。
この場合、２つの方法がある。
第一の方法は次のとおりである。
まず、月を表す球体２９の表面を２等分して一方を地球１１に対する表側３０を表すものとし、他方を裏側３１を表すものとする。図１７、図１８
そして、この月を表す球体２９の表側３０と裏側３１を異なる色で着色する。図１７、図１８
そして、この月を表す球体２９の表側３０の表面の中心に目印３２を付ける。図１７、図１８
そして、この月を表す球体２９に自転軸９を取り付ける。図１７、図１８
第二の方法は次のとおりである。
この場合月球儀３３を使用する。図１９、図２０
まず、月球儀３３の表側３０と裏側３１の境界部３４に境界線３５を表示する。図１９、図２０
そして、月球儀３３の表側３０の表面の中心に目印３２をつける。図１９、図２０
そして、月球儀３３に自転軸９を取り付ける。図１９、図２０
次に太陽光を受けて明るい部分１７と太陽光を受けないで陰になる部分１８を表す中空の球体１９又は太陽光を受けないで陰になる部分１８を表す中空の半球２０の内部に月を表す球体２９を中心と自転軸９を一致させて組み込む。図１、図２、図３、図４、図５、図６、図７、図８、図１１、図１２
これが、本説明器の本体部１６である。
この本説明器の本体部１６において、月の満ち欠けの構成要因４０は次の４つの要因４０から成る。すなわち、第一に、太陽光を受けていて地球１１から見える月の表側３０の部分Ａ、第二に、太陽光を受けていないため地球１１から見えない月の表側３０の部分Ｂ、第三に、太陽光を受けていても月の裏側３１にあるため地球１１から見えない部分Ｃ、第四に、太陽光を受けていないため、かつ月の裏側３１であるため地球１１から見えない部分Ｄである。これが月の満ち欠けの４つの構成要因４０である。図７、図８、図１１、図１２
月の満ち欠けは、第一の太陽光を受けていて地球１１から見える月の表側３０の部分Ａに起こり、この部分の面積の大きさはこの部分の中心角∠ａの大きさによって決まる。
図７、図８、図１１、図１２、図２１、図２２、図２３
また、この第一の構成要因Ａの中心角∠ａの大きさは月５２の公転軌道２３の位置によって決定される。第二の構成要因Ｂの中心角∠ｂ、第三の構成要因Ｃの中心角∠ｃ第四の構成要因Ｄの中心角∠ｄの大きさも同じく月５２の公転軌道２３の位置によって決定される。図２４、図２５、図２６、図２７、図２８、図２９
次に、本説明器の本体部１６の月を表す球体２９の自転軸９を回転させて月を表す球体２９の表面の中心の目印３２の正面から見ると、本説明器の本体部１６に月の満ち欠けが再現される。図７、図８、図１１、図１２、図２１、図２２、図２３
次に、本説明器の本体部１６を腕木４の先端部に取り付ける。
まず、太陽光を受けて明るい部分１７と太陽光を受けないで陰になる部分１８を表す中空の球体１９又は太陽光を受けないで陰になる部分１８を表す中空の半球２０を腕木４の円筒８の頂上部に固定して円筒８の回転運動が直接伝わるように取り付ける。図１、図２、図３、図４、図７、図８、図１１、図１２
そして、本説明器の本体部１６の月を表す球体２９の自転軸９を円筒８の内部を貫通させて、表面の中心の目印３２を地球１１の方向に合わせて腕木４の一部に垂直に固定して取り付ける。
図１、図２、図３、図４、図７、図８、図１１、図１２
この場合、腕木４を左まわりに回転させると、太陽光を受けて明るい部分１７と太陽光を受けないで陰になる部分１８を表す中空の球体１９の太陽光を受けないで陰になる部分１８又は太陽光を受けないで陰になる部分１８を表す中空の半球２０が一定方向を向いたまま右まわりに回転し、月を表す球体２９が表面の中心の目印３２を地球１１の方向に向けたまま回転する。
図１、図２、図３、図４、図７、図８、図１１、図１２
次に、盤面１に太陽光の方向を示す矢印４２を表示する。図１３
次に、公転軌道２３の中心角１２度ごとの月齢０から月齢２９までの月の満ち欠けを示す平面図４１を作成する。
この場合、月の満ち欠けの平面図４１は次の二つの平面図を組み合わせて作成する。
すなわち、第一は太陽と地球と月の関係、すなわち、太陽に向かって月の前半分に太陽光が当り、月の後半分には太陽光が当らないため、地球から太陽に向かっている月の前半分の部分が見え、月の後半分が陰になって見えないことを示す平面図である。
図１４第二は地球と月の関係、すなわち、月が地球のまわりを公転し、さらにその間地球から月の表側だけが見え、月の裏側が見えないことを示す平面図である。図１５
この二つの平面図を組み合わせたものが月の満ち欠けの平面図４１である。図１６
次に、盤面１にこの月の満ち欠けの平面図４１を太陽光の方向を示す矢印４２に合わせて表示する。図１３、図１６
これにより、盤面１に公転軌道２３と公転軌道２３の中心角１２度ごとの月齢０から月齢２９までの月の満ち欠けの４つの構成要因４０の中心角５０の大きさとその比率の変化を表示する。図１３
さらに、この月の満ち欠けの平面図４１に月齢０から月齢２９までの月齢を示す数字２６と太陽光を受けていて地球１１から見える月の表側の部分の中心角∠ａの角度４４を表示する。図１３
次に、盤面１で本説明器の本体部１６の太陽光を受けて明るい部分１７と太陽光を受けないで陰になる部分１８を表す中空の球体１９の太陽光を受けないで陰になる部分１８又は太陽光を受けないで陰になる部分１８を表す中空の半球２０を盤面１の太陽光の方向を表す矢印４２に合わせる。図１，図７、図８、図１１、図１２、図１３
以上が本器月の満ち欠け説明器の構成である。
この場合、本説明器の本体部１６は次のとおり作動する。
まず、腕木４を支柱３の周りを左まわりに回転させて、本説明器の本体部１６を盤面１の月の満ち欠けの平面図４１の公転軌道２３を公転させる。図１、図１３
すると、太陽光を受けて明るい部分１７と太陽光を受けないで陰になる部分１８を表す中空の球体１９の太陽光を受けないで陰になる部分１８又は太陽光を受けないで陰になる部分１８を表す中空の半球２０が太陽光の方向を表す矢印４２の方向を向いたまま回転する。図１、図２、図３、図４、図７、図８、図１１、図１２、図１３
そして、同時に、月を表す球体２９の表面の中心の目印３２が地球１１の方向を向いたまま回転する．図１、図２、図３、図４、図７、図８、図１１、図１２、図１３
この場合、腕木４の地球１１の視点から見ると本説明器の本体部１６に公転軌道２３の月齢０から月齢２９までの月の満ち欠けが再現される。図１、図７、図８、図１１、図１２、図１３
次に、本説明器の本体部１６の指針１０を盤面１の任意の月齢の月の満ち欠けの平面図４１の中心に一致させる。図１、図１３
そして、腕木４の地球１１の視点から本説明器の本体部１６を見ると当該月齢の月の満ち欠けが再現される。図１、図７、図８、図１１、図１２、図１３
次に、この操作を月齢０から月齢２９まで行い公転軌道２３の月齢０から月齢２９までの月の満ち欠けを再現する。図１、図７、図８、図１１、図１２、図１３
そして、同時に、本説明器の本体部１６の全円分度器３８で公転軌道２３の月齢０から月齢２９までの月の満ち欠けの４つの構成要因４０の中心角５０∠ａ∠ｂ∠ｃ∠ｄを計測する。図５、図６、図７、図８、図１１、図１２
以上の操作を月齢０から月齢２９まで行うことで公転軌道２３の月齢０から月齢２９までの月の満ち欠けの４つの構成要因４０の中心角５０∠ａ∠ｂ∠ｃ∠ｄの変化がわかる。
次に、一例として、月齢８の場合の本説明器の操作方法について説明する。
まず、盤面１で本説明器の腕木４を回転して本説明器の本体部１６の指針１０を公転軌道２３の月齢８の月の満ち欠けの平面図４１の中心と一致させる。図１、図１３
この場合、腕木４の地球１１の視点から本説明器の本体部１６を見ると月齢８の月の満ち欠けが再現される。図７、図８、図１１、図１２
次に、本説明器の本体部１６の全円分度器３８で月の満ち欠けの４つの構成要因４０の中心角５０∠ａ∠ｂ∠ｃ∠ｄを計測する。図５、図６、図８、図１２
この場合、４つの構成要因４０の中心角５０は∠ａ＝９６度、∠ｂ＝８４度、∠ｃ＝８４度∠ｄ＝９６度になる。図５、図６、図８、図１２
そして、この操作を月齢０から月齢２９まで行うことで公転軌道２３の月齢０から月齢２９までの月齢の月の満ち欠けの４つの構成要因４０の中心角５０∠ａ∠ｂ∠ｃ∠ｄの変化がわかる。
以上の構成において、本器月の満ち欠け説明器は、公転軌道の月齢０から月齢２９までの月の満ち欠けを再現すると同時に、月の満ち欠けを４つの構成要因に区分して、その中心角を計測して数値化する方法により公転軌道の月齢０から月齢２９までの月の満ち欠けの４つの構成要因の中心角の大きさとその比率の変化を示し、月の満ち欠けが起きる原因と変化のメカニズムを説明するものである。
【００１２】課題を解決するための第二の本説明器の構成は次のとおりである。
まず、板状の盤面１に台座２を固定して取り付けて、これに円柱形の支柱３を垂直に組み込んで固定し、この支柱３の上部に水平に３６０度自由に回転する腕木４を取り付け、中間部に歯車５を固定して取り付ける。図１、図２、図３、図４
次に、腕木４の先端部に円筒８を腕木４を貫通して垂直に取り付ける。図１、図２、図３、図４
この場合、円筒８は３６０度自由に回転できるように取り付け、円筒８の底部を腕木４の一部で支持する。図１、図２、図３、図４
そして、この円筒８の外周部に支柱３に取り付けた歯車５と同一の形状の歯車６を両者の歯車５，６が水平になる位置に固定して取り付ける。そして、両者の歯車５，６をチェーン７で連結する。図１、図２、図３、図４
この装置の腕木４を左まわりに回転させると、円筒８とこれに固定して取り付けた歯車６が逆方向の右まわりに回転する。図１、図２、図３、図４
この場合、支柱３に固定して取り付けた歯車５は固定されていて回転せず、腕木４が左まわりに回転することにより、円筒８に固定して取り付けた歯車６が逆方向の右まわりに回転して円筒８が右回りに回転する。図１、図２、図３、図４
次に、本説明器の本体部１６を作成する。
本説明器の本体部１６の構成は次のとおりである。
最初に、太陽光を受けて明るい部分１７と太陽光を受けないで陰になる部分１８を表す中空の球体１９を作成する。
まず、中空の半球を合わせて中空の球体１９を作成する。図９、図１０
そして、太陽光を受けて明るい部分１７を透明にし、太陽光を受けないで陰になる部分１８を着色する。図９、図１０
そして、太陽光を受けて明るい部分１７と太陽光を受けないで陰になる部分１８を表す中空の球体１９と中心を同じくし、太陽光を受けないで陰になる部分１８の中心２２を通る公転軌道２３を当該中空の球体の外周部２１に表示する。図９、図１０
そして、太陽光を受けて明るい部分１７と太陽光を受けないで陰になる部分１８を表す中空の球体１９の太陽光を受けないで陰になる部分１８の中心２２を起点として公転軌道２３に中心角１２度ごとに３０個の円状の開口部２４を穿孔する。図９、図１０
そして、太陽光を受けて明るい部分１７と太陽光を受けないで陰になる部分１８を表す中空の球体１９の太陽光を受けないで陰になる部分１８の中心２２の円状の開口部２５を起点として月齢０から月齢２９までの月齢を示す数字２６を円状の開口部の上部に表示する。図９、図１０
そして、太陽光を受けて明るい部分１７と太陽光を受けないで陰になる部分１８を表す中空の球体１９の頂上部３６に両者の境界部３７を０度とする椀状の全円分度器３８を接合して固定して取り付ける。図５、図６、図９、図１０
次に、月を表す球体２９を作成する。
この場合、２つの方法がある。
第一の方法は次のとおりである。
まず、月を表す球体２９の表面を２等分して一方を地球１１に対する表側３０を表すものとし、他方を裏側３１を表すものとする。図１７、図１８
そして、この月を表す球体２９の表側３０と裏側３１を異なる色で着色する。図１７、図１８そして、この月を表す球体２９の表側３０の表面の中心に目印３２を付ける。図１７、図１８
そして、この月を表す球体２９に自転軸９を取り付ける。図１７、図１８
第二の方法は次のとおりである。図１９、図２０
この場合月球儀３３を使用する。図１９、図２０
まず、月球儀３３の表側３０と裏側３１の境界部３４に境界線３５を表示する。図１９、図２０
そして、月球儀３３の表側３０の表面の中心に目印３２をつける。図１９、図２０
そして、月球儀３３に自転軸９を取り付ける。図１９、図２０
次に太陽光を受けて明るい部分１７と太陽光を受けないで陰になる部分１８を表す中空の球体１９の内部に月を表す球体２９を中心と自転軸９を一致させて組み込む。
図１、図２、図３、図４、図５、図６、図９、図１０
これが、本説明器の本体部１６である。
この本説明器の本体部１６において、月の満ち欠けの構成要因４０は次の４つの要因４０から成る。すなわち、第一に、太陽光を受けていて地球１１から見える月の表側３０の部分Ａ、第二に、太陽光を受けていないため地球１１から見えない月の表側３０の部分Ｂ、第三に、太陽光を受けていても月の裏側３１にあるため地球１１から見えない部分Ｃ、第四に、太陽光を受けていないため、かつ月の裏側３１であるため地球１１から見えない部分Ｄである。これが月の満ち欠けの４つの構成要因４０である。図９、図１０
月の満ち欠けは、第一の太陽光を受けていて地球１１から見える月の表側３０の部分Ａに起こり、この部分の面積の大きさはこの部分の中心角∠ａの大きさによって決まる。
図９、図１０、図２１、図２２、図２３
また、この第一の構成要因Ａの中心角∠ａの大きさは月５２の公転軌道２３の位置によって決定される。第二の構成要因Ｂの中心角∠ｂ、第三の構成要因Ｃの中心角∠ｃ第四の構成要因Ｄの中心角∠ｄの大きさも同じく月５２の公転軌道２３の位置によって決定される。図２４、図２５、図２６、図２７、図２８、図２９
次に、本説明器の本体部１６の月を表す球体２９の自転軸９を回転させて月を表す球体２９の表面の中心の目印３２を任意の月齢を示す円状の開口部２４の中心と一致させて目印３２の正面から見ると、本説明器の本体部１６に当該月齢の月の満ち欠けが再現される。図９、図１０、図２１、図２２、図２３
そして、この操作を月齢０から月齢２９まで行うことにより、本説明器の本体部１６において、公転軌道２３の中心角の１２度ごとの月齢０から月齢２９までの月の満ち欠けを再現できる。
図９、図１０
次に、本説明器の本体部１６を腕木４の先端部に取り付ける。
まず、太陽光を受けて明るい部分１７と太陽光を受けないで陰になる部分１８を表す中空の球体１９を腕木４の円筒８の頂上部に固定して円筒８の回転運動が直接伝わるように取り付ける。図１、図２、図３、図４、図９、図１０
そして、本説明器の本体部１６の月を表す球体２９の自転軸９を円筒８の内部を貫通させて、表面の中心の目印３２を地球１１の方向に合わせて腕木４の一部に垂直に固定して取り付ける。
図１、図２、図３、図４、図９、図１０
そして、太陽光を受けて明るい部分１７と太陽光を受けないで陰になる部分１８を表す中空の球体１９の太陽光を受けないで陰になる部分を地球１１と反対の方向、すなわち、太陽の方向にむけて固定する。
図１、図２、図３、図４、図９、図１０
この場合、盤面１の表示をせず、本説明器の本体部１６の指針１０を取り付けない。図１以上が本器月の満ち欠け説明器の構成である。
この場合、本説明器の本体部１６は次のとおり作動する。
まず、腕木４を左まわりに回転させて本説明器の本体部１６を地球１１の周りを公転させると、太陽光を受けて明るい部分１７と太陽光を受けないで陰になる部分１８を表す中空の球体１９の太陽光を受けないで陰になる部分１８が太陽の方向を向いたまま回転し、月を表す球体２９が表面の中心の目印３２を地球１１の方向に向けたまま回転する。
図１、図２、図３、図４、図９、図１０
この場合、太陽光を受けて明るい部分１７と太陽光を受けないで陰になる部分１８を表す中空の球体１９の外周部２１に表示した公転軌道２３の月齢０から月齢２９までの月齢を示す円状の開口部２４の中心に月を表す球体２９の表面の中心の目印３２が一致して当該円状の開口部２４が示す月齢の月の満ち欠けが再現される。図９、図１０
そして、腕木４の地球１１の視点から本説明器の本体部１６を見ると公転軌道２３の月齢０から月齢２９までの月の満ち欠けが再現される。図１、図９、図１０
次に、この操作を月齢０から月齢２９まで行い公転軌道２３の月齢０から月齢２９までの月の満ち欠けを再現する。図９、図１０
そして、同時に、本説明器の本体部１６の全円分度器３８で公転軌道２３の月齢０から月齢２９までの月の満ち欠けの４つの構成要因４０の中心角５０∠ａ∠ｂ∠ｃ∠ｄを計測する。
図５、図６、図９、図１０
以上の操作を月齢０から月齢２９まで行うことで公転軌道２３の月齢０から月齢２９までの月の満ち欠けの４つの構成要因４０の中心角５０∠ａ∠ｂ∠ｃ∠ｄの変化がわかる。
次に、一例として、月齢８の場合の本説明器の操作方法について説明する。
まず、腕木４を支柱ａの周りを左まわりに回転させて、本説明器の本体部１６を地球１１の周りを公転させる。図１、図１３
そして、本説明器の本体部１６の月を表す球体２９の表面の中心の目印３２を月齢８を示す円状の開口部２４の中心と一致させる。図９、図１０
そして、腕木４の地球１１の視点から本説明器の本体部１６を見ると月齢８の月の満ち欠けが再現される。図１、図９、図１０
次に、本説明器の本体部１６の全円分度器３８で月の満ち欠けの４つの構成要因４０の中心角５０∠ａ∠ｂ∠ｃ∠ｄを計測する。図５、図６、図１０
この場合、４つの構成要因４０の中心角５０は∠ａ＝９６度、∠ｂ＝８４度、∠ｃ＝８４度∠ｄ＝９６度になる。図５、図６、図１０
そして、この操作を月齢０から月齢２９まで行うことで公転軌道２３の月齢０から月齢２９までの月齢の月の満ち欠けの４つの構成要因４０の中心角５０∠ａ∠ｂ∠ｃ∠ｄの変化がわかる。
以上の構成において、本器月の満ち欠け説明器は、公転軌道の月齢０から月齢２９までの月の満ち欠けを再現すると同時に、月の満ち欠けを４つの構成要因に区分して、その中心角を計測して数値化する方法により公転軌道の月齢０から月齢２９までの月の満ち欠けの４つの構成要因の中心角の大きさとその比率の変化を示し、月の満ち欠けが起きる原因と変化のメカニズムを説明するものである。
【００１３】課題を解決するための第三の本説明器の構成は次のとおりである。
最初に、本説明器の本体部の構成は次のとおりである。
まず、太陽光を受けて明るい部分１７と太陽光を受けないで陰になる部分１８を表す中空の球体１９を作成する。
この場合、作成方法は次のとおりである。
まず、中空の半球を合わせて中空の球体１９を作成する。図３０、図３１、図３６、図３７そして、太陽光を受けて明るい部分１７を透明にし、太陽光を受けないで陰になる部分１８を着色する。図３０、図３１、図３６、図３７
そして、太陽光を受けて明るい部分１７と太陽光を受けないで陰になる部分１８を表す中空の球体１９と中心を同じくし、太陽光を受けないで陰になる部分１８の中心２２を通る公転軌道２３を当該中空の球体１９の外周部２１に表示する。図３０、図３１、図３６、図３７
そして、太陽光を受けて明るい部分１７と太陽光を受けないで陰になる部分１８を表す中空の球体１９の太陽光を受けないで陰になる部分１８の中心２２を起点として公転軌道２３に中心角１２度ごとに３０個の円状の開口部２４を穿孔する。図３０、図３１、図３６、図３７
そして、太陽光を受けて明るい部分１７と太陽光を受けないで陰になる部分１８を表す中空の球体１９の太陽光を受けないで陰になる部分１８の中心２２の円状の開口部２５を起点として月齢０から月齢２９までの月齢を示す数字２６を円状の開口部２４の上部に表示する。図３０、図３１、図３６、図３７
そして、太陽光を受けて明るい部分１７と太陽光を受けないで陰になる部分１８を表す中空の球体１９の頂上部３６に両者の境界部３７を０度とする椀状の全円分度器３８を接合して固定して取り付ける。図５、図６、図３０、図３１
次に、月を表す球体２９を作成する。
この場合、２つの方法がある。
第一の方法は次のとおりである。
まず、月を表す球体２９の表面を２等分して一方を地球１１に対する表側３０を表すものとし、他方を裏側３１を表すものとする。
図３０、図３１、図３６、図３７
そして、この月を表す球体２９の表側３０と裏側３１を異なる色で着色する。
図３０、図３１、図３６、図３７
そして、この月を表す球体２９の表側３０の表面の中心に目印３２を付ける。
図３０、図３１、図３６、図３７
そして、この月を表す球体２９の裏側３１の表面の中心に目印４５を付ける。
図３０、図３１、図３６、図３７
そして、この月を表す球体２９に自転軸９を取り付ける図３０、図３１、図３６、図３７
第二の方法は次のとおりである。
この場合月球儀３３を使用する。図３４、図３５
まず、月球儀３３の表側３０と裏側３１の境界部３４に境界線３５を表示する。図３４、図３５
そして、月球儀３３の表側３０の表面の中心に目印３２をつける。図３４、図３５
そして、月球儀３３の裏側３１の表面の中心に目印４５を付ける。図３４、図３５
そして、月球儀３３に自転軸９を取り付ける。図３４、図３５
次に太陽光を受けて明るい部分１７と太陽光を受けないで陰になる部分１８を表す中空の球体１９の内部に月を表す球体２９を中心と自転軸９を一致させて組み込む。図３０、図３１、図３６、図３７
これが、本説明器の本体部４６である。
この本説明器の本体部４６において、月の満ち欠けの構成要因４０は次の４つの要因４０から成る。すなわち、第一に、太陽光を受けていて地球１１から見える月の表側３０の部分Ａ、第二に、太陽光を受けていないため地球１１から見えない月の表側３０の部分Ｂ、第三に、太陽光を受けていても月の裏側３１にあるため地球１１から見えない部分Ｃ、第四に、太陽光を受けていないため、かつ月の裏側３１であるため地球１１から見えない部分Ｄである。これが月の満ち欠けの４つの構成要因４０である。月の満ち欠けは、第一の太陽光を受けていて地球１１から見える月の表側３０の部分Ａに起こり、この部分の面積の大きさはこの部分の中心角∠ａの大きさによって決まる。また、この第一の構成要因４０の中心角∠ａの大きさは月５２の公転軌道２３の位置によって決定される。第二の構成要因４０の中心角∠ｂ、第三の構成要因４０の中心角∠ｃ第四の構成要因４０の中心角∠ｄの大きさも同じく月５２の公転軌道２３の位置によって決定される。図３０、図３１、図３８、図３９、図４０
次に、上記の本説明器の本体部４６を月を表す球体２９の自転軸９を垂直にして、台座４７に固定して取り付ける。図３０、図３１、図３２、図３３
この場合、月を表す球体２９の自転軸９を３６０度自由に回転するように台座４７に組み込む。
以上が本器月の満ち欠け説明器の構成である。
次に、本説明器の本体部４６の月を表す球体の自転軸９を回転させて、月を表す球体１６の裏側３１の表面の中心の目印４５を公転軌道２３の任意の月齢を示す円状の開口部２４の中心と一致させて公転軌道２３の月５２の位置を特定する。図３０、図３１、図３８、図３９、図４０
すると、月を表す球体２９の表側３０の表面の中心の目印３２が公転軌道２３の反対側の月齢を示す円状の開口部２４の中心と一致する。図３０、図３１、図３８、図３９、図４０
そして、月を表す球体２９の表側３０の表面の中心の目印３２を正面から、すなわち地球１１の視点から見ると、本説明器の本体部１６に当該円状の開口部２４が示す月齢の月の満ち欠け，すなわち公転軌道２３の反対側に位置する月５２の満ち欠けが再現される。
図３０、図３１、図３８、図３９、図４０
そして、この操作を月齢０から月齢２９まで行うことにより公転軌道２３の月齢０から月齢２９までの月齢の月の満ち欠けを再現する。
そして、同時に、本説明器の本体部１６の全円分度器３８で公転軌道２３の月齢０から月齢２９までの月の満ち欠けの４つの構成要因４０の中心角５０∠ａ∠ｂ∠ｃ∠ｄを計測する。
以上の操作を月齢０から月齢２９まで行うことで公転軌道２３の月齢０から月齢２９までの月の満ち欠けの４つの構成要因４０の中心角５０∠ａ∠ｂ∠ｃ∠ｄの変化がわかる。
一例として、月齢８の月の満ち欠けを再現する場合について説明する。
まず、本説明器の本体部４６の月を表す球体２９の自転軸９を回転させて、月を表す球体２９の裏側３１の表面の中心の目印４５を公転軌道２３の月齢２３を示す円状の開口部２４の中心と一致させて公転軌道２３の月５２の位置を特定する。図３０、図３１
すると、反対側の月を表す球体２９の表面の中心の目印３２が月齢８を示す円状の開口部２４の中心と一致する。図３０、図３１
そして、この月を表す球体２９の表面の中心の目印３２を正面から、すなわち地球１１の視点から見ると月齢８の月の満ち欠けが再現される。図３０、図３１
次に、説明器の本体部４６の全円分度器３８で月齢８の場合の月の満ち欠けの４つの構成要因４０の中心角５０∠ａ∠ｂ∠ｃ∠ｄを計測する。図５、図６、図３０、図３１
この場合、４つの構成要因４０の中心角５０は∠ａ＝９６度、∠ｂ＝８４度、∠ｃ＝８４度、∠ｄ＝９６度になる図５、図６、図３０、図３１
以上の構成において、本器月の満ち欠け説明器は、公転軌道の月齢０から月齢２９までの月の満ち欠けを再現すると同時に、月の満ち欠けを４つの構成要因に区分して、その中心角を計測して数値化する方法により公転軌道の月齢０から月齢２９までの月の満ち欠けの４つの構成要因の中心角の大きさとその比率の変化を示し、月の満ち欠けが起きる原因と変化のメカニズムを説明するものである。
【００１４】課題を解決するための第四の本説明器の構成は次のとおりである。
最初に、本説明器の本体部の構成は次のとおりである。
まず、中空の半球を合わせて月を表す中空の球体２９を作成する。図４１、図４２、図４３、図４４
そして、太陽光を受けて明るい部分１７と太陽光を受けないで陰になる部分１８を異なる色で着色する。図４１、図４２、図４３、図４４
そして、太陽光を受けて明るい部分１７と太陽光を受けないで陰になる部分１８を表す中空の球体１９と中心を同じくし、太陽光を受けないで陰になる部分１８の中心２２を通る公転軌道２３を当該中空の球体１９の外周部２１に表示する。図４１、図４２、図４３、図４４
そして、太陽光を受けて明るい部分１７と太陽光を受けないで陰になる部分１８を表す中空の球体１９の太陽光を受けないで陰になる部分１８の中心２２を起点として公転軌道２３に中心角１２度ごとに３０個の円状の開口部２４を穿孔する。図４１、図４２、図４３、図４４
そして、太陽光を受けて明るい部分１７と太陽光を受けないで陰になる部分１８を表す中空の球体１９の太陽光を受けないで陰になる部分１８の中心２２の円状の開口部２５を起点として月齢０から月齢２９までの月齢を示す数字２６を円状の開口部２４の上部に表示する。図４１、図４２、図４３、図４４
そして、この月を表す球体２９に自転軸９を取り付ける。図４１、図４２、図４３、図４４
次に、円環５５の一部に月を表す球体５６を取り付け、さらにこの円環５５の反対側の位置に地球を表す球体５７を取り付ける。図４１、図４２、図４３、図４４、図４５
そして、上記の円環５５を内包させた環状のレール５８を、太陽光を受けて明るい部分１７と太陽光を受けないで陰になる部分１８を表す中空の球体１９の外周部２１に表示した公転軌道２３上に固定して取り付ける。図４１、図４２、図４３、図４４、図４５
この場合、円環５５と月及び地球を表す球体５６，５７が環状のレール５８を３６０度自由に回転するように取り付ける。図４１、図４２、図４３、図４４、図４５
これが、本説明器の本体部５３の構成である。
この説明器の本体部５３の自転軸９を３６０度自由回転できるようにして台座５４に組み込む。図４１、図４２
以上が本器月の満ち欠け説明器の構成である。
次に、上記の環状のレール５８に取り付けた月を表す球体５６の中心を本説明器の本体部５３の任意の月齢を示す円状の開口部２４の中心に一致させて公転軌道２３の月５２の位置を特定する。図４１、図４２
この場合、地球を表す球体５７の中心が月５２の位置と反対側の公転軌道２３の月齢を示す円状の開口部２４の中心と一致する。図４１、図４２
そして、この地球を表す球体５７を正面から、すなわち地球１１の視点から見ると、本説明器の本体部５３に当該円状の開口部２４が示す月齢の月の満ち欠け，すなわち公転軌道２３の反対側に位置する月５２の満ち欠けが再現される。図４１、図４２
そして、この操作を月齢０から月齢２９まで行うことにより公転軌道２３の月齢０から月齢２９までの月の満ち欠けを再現する。図４１、図４２
一例として、月齢１０の月の満ち欠けを再現する場合について説明する。
まず、上記の環状のレール５８に取り付けた月を表す球体５６の中心を本説明器の本体部５３の月齢２５の円状の開口部２４の中心に一致させて公転軌道２３の月５２の位置を特定する。図４１、図４２、図４６、図４７
すると、地球を表す球体５７の中心が月５２の位置と反対側の公転軌道２３の月齢１０を示す円状の開口部２４の中心と一致する。図４１、図４２、図４６、図４７
そして、この地球を表す球体５７を正面から、すなわち地球１１の視点から見ると、本説明器の本体部５３に月齢１０の月の満ち欠けが再現される。図４１、図４２、図４６、図４７
以上の構成において、本器月の満ち欠け説明器は、公転軌道の月の位置を特定して公転軌道の月齢０から月齢２９までの月の満ち欠けを再現して、月の満ち欠けの変化を説明するものである。
【産業上の利用可能性】
【符号の説明】
【００１５】１    盤面
２    台座
３    支柱
４    腕木
５    歯車
６    歯車
７    チェーン
８    円筒
９    自転軸
１０  指針
１１  地球
１２  腕木を回転させる取っ手
１３  ベアリング
１４  太陽光を受けて明るい部分と太陽光を受けないため陰になる部分を表す中空の球体又は太陽光を受けていないため陰になる部分を表す中空の半球と円筒を接合する部品の円筒との接合部
１５  太陽光を受けて明るい部分と太陽光を受けないため陰になる部分を表す中空の球体又は太陽光を受けていないため陰になる部分を表す中空の半球と円筒を接合する部品の中空の球体又は半球との接合部
１６  月の満ち欠け説明器の本体部
１７  太陽光を受けて明るい部分
１８  太陽光を受けていないため陰になる部分
１９  太陽光を受けて明るい部分と太陽光を受けないため陰になる部分を表す中空の球体
２０  太陽光を受けていないため陰になる部分を表す中空の半球
２１  太陽光を受けて明るい部分と太陽光を受けないため陰になる部分を表す中空の球体の外周部
２２  太陽光を受けて明るい部分と太陽光を受けないため陰になる部分を表す中空の球体の太陽光を受けないため陰になる部分の中心
２３  公転軌道
２４  円状の開口部
２５  太陽光を受けて明るい部分と太陽光を受けないため陰になる部分を表す中空の球体の太陽光を受けないで陰になる部分の中心の円状の開口部
２６  月齢を示す数字
２７  太陽光を受けていないため陰になる部分を表す中空の半球の頂上部とその反対側の頂上部
２８  張り出し部
２９  月を表す球体
３０  月の表側
３１  月の裏側
３２  月の表側の中心の目印
３３  月球儀
３４  月球儀の表側と裏側の境界部
３５  月球儀の表側と裏側の境界部の境界線
３６  太陽光を受けて明るい部分と太陽光を受けないため陰になる部分を表す中空の球体の頂上部
３７  太陽光を受けて明るい部分と太陽光を受けないため陰になる部分の境界部
３８  全円分度器
３９  太陽光を受けていないため陰になる部分を表す中空の半球の断面部
４０  月の満ち欠けの構成要因
４１  月の満ち欠けの平面図
４２  太陽光の方向を示す矢印。
４３  月の満ち欠けの平面図の公転軌道の中心角１２度ごとの３０個の円
４４  太陽光を受けていて地球から見える月の表側の部分の中心角∠ａの角度
４５  月の裏側の中心の目印
４６  月の満ち欠け説明器の本体部
４７  台座
４８  取っ手
４９  地球から見た場合の視線
５０  構成要因の中心角
５１  太陽
５２  月
５３  月の満ち欠け説明器の本体部
５４  台座
５５  「月を表す球体」と「地球を表す球体」を取り付ける円環
５６  円環に取り付ける月を表す球体
５７  円環に取り付ける地球を表す球体
５８  公転軌道に取り付ける環状のレール
Ａ  第一の構成要因  太陽光を受けていて地球から見える月の表側の部分
Ｂ  第二の構成要因  太陽光を受けていないため地球から見えない月の表側の部分
Ｃ  第三の構成要因  太陽光を受けていても月の裏側にあるため地球から見えない部分
Ｄ  第四の構成要因  太陽光を受けていないため、かつ月の裏側であるため地球から見えない部分
∠ａ  第一の構成要因の中心角
∠ｂ  第二の構成要因の中心角
∠ｃ  第三の構成要因の中心角
∠ｄ  第四の構成要因の中心角
【要約】      （修正有）【課題】公転軌道の中心角１２度ごとの月齢０から月齢２９までの月の満ち欠けを再現しながら、月の満ち欠けの４つの構成要因の中心角を計測して、公転軌道における中心角と比率の変化を示すことで月の満ち欠けの原理を説明する。【解決手段】まず、太陽光を受けて明るい部分と、受けないため陰になる部分を表す中空の球体１９を作る。次に、月を表す球体１９に自転軸９を取り付け、表側の中心に目印３２を付けて中空の球体１９に組み込む。この場合、月を表す球体の自転軸９を回転させて月の表側の中心の目印３２を正面から見ると月の満ち欠けが再現される。これが本器月の満ち欠け説明器の本体部１６である。この本体部１６を地球の周りを公転させて月の満ち欠けを再現しながら月の満ち欠けの４つの構成要因の中心角を計測する。【選択図】図７【図１】
0005166616.tif 000002
【図２】
0005166616.tif 000003
【図３】
0005166616.tif 000004
【図４】
0005166616.tif 000005
【図５】
0005166616.tif 000006
【図６】
0005166616.tif 000007
【図７】
0005166616.tif 000008
【図８】
0005166616.tif 000009
【図９】
0005166616.tif 000010
【図１０】
0005166616.tif 000011
【図１１】
0005166616.tif 000012
【図１２】
0005166616.tif 000013
【図１３】
0005166616.tif 000014
【図１４】
0005166616.tif 000015
【図１５】
0005166616.tif 000016
【図１６】
0005166616.tif 000017
【図１７】
0005166616.tif 000018
【図１８】
0005166616.tif 000019
【図１９】
0005166616.tif 000020
【図２０】
0005166616.tif 000021
【図２１】
0005166616.tif 000022
【図２２】
0005166616.tif 000023
【図２３】
0005166616.tif 000024
【図２４】
0005166616.tif 000025
【図２５】
0005166616.tif 000026
【図２６】
0005166616.tif 000027
【図２７】
0005166616.tif 000028
【図２８】
0005166616.tif 000029
【図２９】
0005166616.tif 000030
【図３０】
0005166616.tif 000031
【図３１】
0005166616.tif 000032
【図３２】
0005166616.tif 000033
【図３３】
0005166616.tif 000034
【図３４】
0005166616.tif 000035
【図３５】
0005166616.tif 000036
【図３６】
0005166616.tif 000037
【図３７】
0005166616.tif 000038
【図３８】
0005166616.tif 000039
【図３９】
0005166616.tif 000040
【図４０】
0005166616.tif 000041
【図４１】
0005166616.tif 000042
【図４２】
0005166616.tif 000043
【図４３】
0005166616.tif 000044
【図４４】
0005166616.tif 000045
【図４５】
0005166616.tif 000046
【図４６】
0005166616.tif 000047
【図４７】
0005166616.tif 000048